【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
コーティングのバイオフラボノイド分が、少なくともナリンギンおよびネオヘスペリジンを含む、バイオフラボノイドコーティングを有する合成高分子材料。
【請求項２】
前記ナリンギンおよびネオヘスペリジンが共に、コーティングのバイオフラボノイド分の少なくとも５０％、少なくとも７０％、少なくとも７５％、または、７５〜８０％を構成する、請求項１に記載の高分子材料。
【請求項３】
前記コーティングのバイオフラボノイド分が、ネオエリオシトリン、イソナリンギン、ヘスペリジン、ネオジオスミン、ナリンゲニン、ポンシリン、およびロイフォリンの群より選択される１種またはそれより多くの化合物をさらに含む、請求項１または２に記載の高分子材料。
【請求項４】
前記バイオフラボノイドコーティングが、オレウロペインをさらに含む、請求項１〜３のいずれかに記載の高分子材料。
【請求項５】
前記バイオフラボノイドコーティングが、サリチル酸をさらに含む、請求項１〜４のいずれかに記載の高分子材料。
【請求項６】
前記バイオフラボノイドコーティングが、１種またはそれより多くのフルーツ酸をさらに含み、前記フルーツ酸が、クエン酸、乳酸、アスコルビン酸、およびリンゴ酸から選択されてもよい、請求項９に記載の高分子材料。
【請求項７】
フィルムの形態である、請求項１〜６のいずれかに記載の高分子材料。
【請求項８】
前記ポリマーが、ポリエチレンテレフタレート、ポリスチレン、ポリエチレン、ポリプロピレン、ポリ塩化ビニル、ポリアミド、ポリ塩化ビニリデン、ポリエチレンビニルアルコール、ポリエチレン酢酸ビニル、ネオプレン、ポリウレタン、ナイロン、ラテックス、ニトリルゴム、またはシリコーンである、請求項１〜７のいずれかに記載の高分子材料。
【請求項９】
前記コーティングの厚さが、少なくとも５０ｎｍ、好ましくは７００〜１３００ｎｍである、請求項１〜８のいずれかに記載の高分子材料。
【請求項１０】
前記高分子材料上へのバイオフラボノイドコーティングの被覆率のパーセンテージが、少なくとも５０％、好ましくは７０〜１００％である、請求項１〜９のいずれかに記載の高分子材料。
【請求項１１】
前記バイオフラボノイドコーティングの平均表面粗さが、少なくとも１００ｎｍ、好ましくは６００〜１５００ｎｍである、請求項１〜１０のいずれかに記載の高分子材料。
【請求項１２】
高分子材料をコーティングするための、請求項１〜６のいずれかに記載のバイオフラボノイドコーティングの使用。
【請求項１３】
前記高分子材料が請求項７または８に記載のものである、請求項１２に記載の使用。
【請求項１４】
包装材としての、請求項１〜１１のいずれかに記載の高分子材料の使用。
【請求項１５】
前記包装材が、食品用包装材である、請求項１４に記載の高分子材料の使用。
【請求項１６】
前記食品用包装材が肉用であり、前記肉がニワトリまたはシチメンチョウなどの鳥肉であってよい、請求項１５に記載の高分子材料の使用。
【請求項１７】
前記食品用包装材が、柔らかい果実などの果実用である、請求項１５に記載の高分子材料の使用。
【請求項１８】
医療用デバイスとしての、請求項１〜６または８のいずれかに記載の高分子材料の使用。
【請求項１９】
前記医療用デバイスが、カテーテルまたはカニューレである、請求項１８に記載の高分子材料の使用。
【請求項２０】
呼吸用マスクとしての、請求項８のいずれか一項に記載の高分子材料の使用。
【請求項２１】
肉の酸化を予防するための、請求項１〜１１のいずれかに記載の高分子材料の使用であって、前記肉がニワトリまたはシチメンチョウなどの鳥肉であってよい、上記使用。
【請求項２２】
鳥肉用のナプキンとしての、請求項１〜１１のいずれかに記載の高分子材料の使用。
【請求項２３】
ｉ）高分子材料をプラズマ処理して、処理済み高分子材料を作製する工程；および
ｉｉ）処理済み高分子材料に、請求項１〜６のいずれかで定義されたバイオフラボノイドコーティングを適用する工程
を含む、請求項１〜１１のいずれかに記載の高分子材料の製造方法。
【請求項２４】
工程ｉｉ）が、高分子材料をバイオフラボノイドコーティングの溶液に浸漬することを含む、請求項２３に記載の方法。
【請求項２５】
工程ｉｉ）が、バイオフラボノイドコーティングの乾燥または湿潤したミストを高分子材料に噴霧することを含む、請求項２３に記載の方法。
【請求項２６】
工程ｉｉ）が、バイオフラボノイドコーティングで高分子材料を表面ブラストすることを含む、請求項２３に記載の方法。
【請求項２７】
処理済みの高分子材料が、９５°未満、７５°未満、６０°未満、または、３５°〜４０°未満の水接触角を有する、請求項２３に記載の方法。
【請求項２８】
前記プラズマ処理が大気圧での処理であり、前記大気圧での処理が、ヘリウムベース、アルゴンベース、空気ベースであるか、またはヘリウムまたはアルゴンのいずれかと空気との混合物でなされてもよい、請求項２３〜２７のいずれかに記載の方法。
【請求項２９】
前記プラズマ処理が、プラズマ浸漬イオン注入である、請求項２３〜２７のいずれかに記載の方法。
【請求項３０】
請求項１〜６のいずれかに記載のバイオフラボノイドコーティングを有する合成高分子材料を含む包装された製品であって、前記高分子材料が、請求項７または８に記載のものであってよい、上記製品。
【手続補正２】
【補正対象書類名】明細書
【補正対象項目名】０１１４
【補正方法】変更
【補正の内容】
【０１１４】
シートと接触した後にゲルマニウム結晶が除去されるため、シトロックス成分は表面上に強く吸収されるか、またはポリスチレンシートのバルク層に拡散する。それゆえに、インキュベートおよび水で洗浄後に、シトロックス成分はポリスチレンシート中に残る。
（結論）
●  プラズマ処理したポリスチレンシートは、より高レベルのシトロックスを含有する。
【手続補正３】
【補正対象書類名】明細書
【補正対象項目名】０１１５
【補正方法】変更
【補正の内容】
【０１１５】
（１）  コーティングのバイオフラボノイド分が、少なくともナリンギンおよびネオヘスペリジンを含む、バイオフラボノイドコーティングを有する合成高分子材料。
（２）  前記ナリンギンおよびネオヘスペリジンが共に、コーティングのバイオフラボノイド分の少なくとも５０％を構成する、（１）に記載の高分子材料。
（３）  前記ナリンギンおよびネオヘスペリジンが共に、コーティングのバイオフラボノイド分の少なくとも７０％を構成する、（２）に記載の高分子材料。
（４）  前記ナリンギンおよびネオヘスペリジンが共に、コーティングのバイオフラボノイド分の少なくとも７５％を構成する、（３）に記載の高分子材料。
（５）  前記ナリンギンおよびネオヘスペリジンが共に、コーティングのバイオフラボノイド分の７５％〜８０％を構成する、（４）に記載の高分子材料。
（６）  前記コーティングのバイオフラボノイド分が、ネオエリオシトリン、イソナリンギン、ヘスペリジン、ネオジオスミン、ナリンゲニン、ポンシリン、およびロイフォリンの群より選択される１種またはそれより多くの化合物をさらに含む、（１）〜（５）のいずれか一項に記載の高分子材料。
（７）  前記バイオフラボノイドコーティングが、オレウロペインをさらに含む、（１）〜（６）のいずれか一項に記載の高分子材料。
（８）  前記バイオフラボノイドコーティングが、サリチル酸をさらに含む、（１）〜（７）のいずれか一項に記載の高分子材料。
（９）  前記バイオフラボノイドコーティングが、１種またはそれより多くのフルーツ酸をさらに含む、（１）〜（８）のいずれか一項に記載の高分子材料。
（１０）  前記フルーツ酸が、クエン酸、乳酸、アスコルビン酸、およびリンゴ酸から選択される、（９）に記載の高分子材料。
（１１）  フィルムの形態である、（１）〜（１０）のいずれか一項に記載の高分子材料。
（１２）  前記ポリマーが、ポリエチレンテレフタレート、ポリスチレン、ポリエチレン、ポリプロピレン、ポリ塩化ビニル、ポリアミド、ポリ塩化ビニリデン、ポリエチレンビニルアルコール、ポリエチレン酢酸ビニル、ネオプレン、ポリウレタン、ナイロン、ラテックス、ニトリルゴム、またはシリコーンである、（１）〜（１１）のいずれか一項に記載の高分子材料。
（１３）  前記ポリマーが、ポリエチレンテレフタレートである、（１２）に記載の高分子材料。
（１４）  前記ポリマーが、ポリスチレンである、（１２）に記載の高分子材料。
（１５）  前記コーティングの厚さが、少なくとも５０ｎｍ、好ましくは７００〜１３００ｎｍである、（１）〜（１４）のいずれか一項に記載の高分子材料。
（１６）  前記高分子材料上へのバイオフラボノイドコーティングの被覆率のパーセンテージが、少なくとも５０％、好ましくは７０〜１００％である、（１）〜（１５）のいずれか一項に記載の高分子材料。
（１７）  前記バイオフラボノイドコーティングの平均表面粗さが、少なくとも１００ｎｍ、好ましくは６００〜１５００ｎｍである、（１）〜（１６）のいずれか一項に記載の高分子材料。
（１８）  高分子材料をコーティングするための、（１）〜（１０）のいずれか一項に記載のバイオフラボノイドコーティングの使用。
（１９）  前記高分子材料が、（１１）〜（１４）のいずれか一項に記載のものである、（１８）に記載の使用。
（２０）  包装材としての、（１）〜（１７）のいずれか一項に記載の高分子材料の使用。
（２１）  前記包装材が、食品用包装材である、（２０）に記載の高分子材料の使用。
（２２）  前記食品用包装材が、肉用である、（２１）に記載の高分子材料の使用。
（２３）  前記肉が、鳥肉である、（２２）に記載の高分子材料の使用。
（２４）  前記鳥肉が、ニワトリまたはシチメンチョウである、（２３）に記載の高分子材料の使用。
（２５）  前記食品用包装材が、柔らかい果実などの果実用である、（２１）に記載の高分子材料の使用。
（２６）  医療用デバイスとしての、（１）〜（１０）または（１２）のいずれか一項に記載の高分子材料の使用。
（２７）  前記医療用デバイスが、カテーテルまたはカニューレである、（２６）に記載の高分子材料の使用。
（２８）  呼吸用マスクとしての、（１２）〜（１４）のいずれか一項に記載の高分子材料の使用。
（２９）  肉の酸化を予防するための、（１）〜（１７）のいずれか一項に記載の高分子材料の使用。
（３０）  前記肉が、鳥肉である、（２９）に記載の高分子材料の使用。
（３１）  前記鳥肉が、ニワトリまたはシチメンチョウである、（３０）に記載の高分子材料の使用。
（３２）  鳥肉用のナプキンとしての、（１）〜（１７）のいずれか一項に記載の高分子材料の使用。
（３３）  ｉ）高分子材料をプラズマ処理して、処理済み高分子材料を作製する工程；および、ｉｉ）処理済み高分子材料に、（１）〜（１０）のいずれか一項で定義されたバイオフラボノイドコーティングを適用する工程、を含む、（１）〜（１７）のいずれか一項に記載の高分子材料の製造方法。
（３４）  工程ｉｉ）が、高分子材料をバイオフラボノイドコーティングの溶液に浸漬することを含む、（３３）に記載の方法。
（３５）  工程ｉｉ）が、バイオフラボノイドコーティングの乾燥または湿潤したミストを高分子材料に噴霧することを含む、（３３）に記載の方法。
（３６）  工程ｉｉ）が、バイオフラボノイドコーティングで高分子材料を表面ブラストすることを含む、（３３）に記載の方法。
（３７）  処理済みの高分子材料が、９５°未満の水接触角を有する、（３３）に記載の方法。
（３８）  前記水接触角が、７５°未満である、（３７）に記載の方法。
（３９）  前記水接触角が、６０°未満である、（３８）に記載の方法。
（４０）  前記水接触角が、３５°〜４０°未満である、（３９）に記載の方法。
（４１）  前記プラズマ処理が、大気圧での処理である、（３３）〜（４０）のいずれか一項に記載の方法。
（４２）  前記大気圧での処理が、ヘリウムベース、アルゴンベース、空気ベースであるか、またはヘリウムまたはアルゴンのいずれかと空気との混合物でなされる、（４１）に記載の方法。
（４３）  前記プラズマ処理が、プラズマ浸漬イオン注入である、（３３）〜（４０）のいずれか一項に記載の方法。
（４４）  （１）〜（１０）のいずれか一項に記載のバイオフラボノイドコーティングを有する合成高分子材料を含む包装された製品。
（４５）  前記高分子材料が、（１１）〜（１４）のいずれか一項に記載のものである、（４４）に記載の包装された製品。